(57)【要約】【課題】  配電線から侵入する雷サージが電力需要家内の家電機器や情報機器まで達することを阻止する雷サージ対策を施した電子式電力量計を提供する。【解決手段】  電線が接続された端子部１４を有する筐体１２を備え、電線からの通電により電力量を計測する電子式電力量計において、端子部１４の電源側端子部１５Ｓと負荷側端子部１５Ｌとを繋ぐ一方の接続線１７と、端子部１４の電源側端子部１６Ｓと負荷側端子部１６Ｌと繋ぐ他方の接続線１８との間に、電源側端子部１５Ｓ，１６Ｓから侵入するサージを吸収する交換可能なサージ防護素子１９を接続する。【選択図】    図１
2012073211.tif 000002
【特許請求の範囲】
【請求項１】
電線が接続された端子部を有する筐体を備え、前記電線からの通電により電力量を計測する電子式電力量計において、前記電源側端子部から侵入するサージを吸収する交換可能なサージ防護素子を前記筐体に内蔵させたことを特徴とする電子式電力量計。
【請求項２】
前記サージ防護素子は、前記端子部の電源側端子部と負荷側端子部とを繋ぐ複数の接続線の線間の電源側に接続されている請求項１に記載の電子式電力量計。
【請求項３】
前記サージ防護素子は、前記筐体の端子部近傍部位と端子部離隔部位の複数箇所に設けられ、前記筐体の端子部近傍部位に設けられたサージ防護素子は、筐体の端子部離隔部位に設けられたサージ防護素子よりも低い制限電圧に設定されている請求項１又は２に記載の電子式電力量計。
【請求項４】
前記サージ防護素子は、前記端子部の電源側端子部に設けられている請求項１に記載の電子式電力量計。
【発明の詳細な説明】
【技術分野】
【０００１】
本発明は、例えば一般家庭などの電力需要家が使用する電力量を計測して表示する電子式電力量計に関する。
【背景技術】
【０００２】
例えば、一般家庭などの電力需要家が使用する電力量を計測して表示する電力量計として、電子式電力量計が知られている（例えば、特許文献１参照）。この種の電子式電力量計は、図４に示すように、各種電子部品を実装した計測回路１を収容した樹脂製の筐体２を備え、その筐体２の前面に表示部３が設けられていると共に、筐体２の下部に端子部４が設けられている。
【０００３】
この電子式電力量計の端子部４は、電力供給設備からの配電線（図示せず）がネジ止めにより接続される電源側端子部５Ｓ，６Ｓと、電力需要家内の負荷への配電線（図示せず）がネジ止めにより接続される負荷側端子部５Ｌ，６Ｌとが並設された構造を具備する。
【先行技術文献】
【特許文献】
【０００４】
【特許文献１】特開２００７−１１４０２５号公報
【発明の概要】
【発明が解決しようとする課題】
【０００５】
ところで、一般家庭などの電力需要家では、各種の家電機器や情報機器が使用されており、これら家電機器や情報機器の多様化に伴い、落雷などによる過大な雷サージが家電機器や情報機器の電源線から侵入して、その雷サージでもって家電機器や情報機器が破壊されることを未然に防止する必要がある。
【０００６】
そのため、前述した家電機器や情報機器の電源線から雷サージが侵入してくるのを未然に防止する目的として、電力需要家に設置された電子式電力量計に雷サージ対策を施すことが要望されているというのが現状であった。
【０００７】
そこで、本発明は前述の問題点に鑑みて提案されたもので、その目的とするところは、配電線から侵入する雷サージが電力需要家内の家電機器や情報機器まで達することを阻止する雷サージ対策を施した電子式電力量計を提供することにある。
【課題を解決するための手段】
【０００８】
前述の目的を達成するための技術的手段として、本発明は、電線が接続された端子部を有する筐体を備え、電線からの通電により電力量を計測する電子式電力量計において、電源側端子部から侵入するサージを吸収する交換可能なサージ防護素子を筐体に内蔵させたことを特徴とする。なお、前述の「サージ」は、落雷などによる雷サージ以外の過渡的な過大電圧も含む。
【０００９】
本発明では、電源側端子部から侵入するサージを吸収する交換可能なサージ防護素子を筐体に内蔵させたことにより、電源側端子部から侵入するサージを筐体内のサージ防護素子で阻止することができるので、そのサージが計測回路に達することを回避でき、電子式電力量計をサージから保護することができる。また、このサージ防護素子は交換可能であることから、直撃雷などの過大なサージにより素子破壊が発生しても速やかに新たなサージ防護素子に取り替えることができる。
【００１０】
本発明におけるサージ防護素子は、端子部の電源側端子部と負荷側端子部とを繋ぐ複数の接続線の線間の電源側に接続されていることが望ましい。このようにすれば、サージ防護素子を筐体に内蔵させることが容易に実現できる。
【００１１】
本発明におけるサージ防護素子は、筐体の端子部近傍部位と端子部離隔部位の複数箇所に設けられ、筐体の端子部近傍部位に設けられたサージ防護素子は、筐体の端子部離隔部位に設けられたサージ防護素子よりも低い制限電圧に設定されていることが望ましい。このようにすれば、電源側端子部から侵入するサージから計測回路を防護することができる。
【００１２】
なお、本発明におけるサージ防護素子は、端子部の電源側端子部に設けることも可能である。このようにすれば、電源側端子部から侵入するサージから計測回路を確実に防護することができる。
【発明の効果】
【００１３】
本発明によれば、電源側端子部から侵入するサージを吸収する交換可能なサージ防護素子を筐体に内蔵させたことにより、電源側端子部から侵入するサージを筐体内のサージ防護素子で阻止することができるので、そのサージが計測回路に達することを回避でき、電子式電力量計をサージから保護することができる。また、このサージ防護素子は交換可能であることから、直撃雷などの過大なサージにより素子破壊が発生しても速やかに新たなサージ防護素子に取り替えることができる。このように簡単なサージ対策により信頼性の高い長寿命の電子式電力量計を提供することができる。
【図面の簡単な説明】
【００１４】
【図１】本発明に係る電子式電力量計の実施形態で、前面の保護カバーの一部を省略した正面図である。
【図２】図１の電子式電力量計で、前面の保護カバーおよびサージ防護素子を取り外した状態を示す斜視図である。
【図３】本発明に係る電子式電力量計の他の実施形態で、前面の保護カバーの一部を省略した正面図である。
【図４】従来の電子式電力量計を示す正面図である。
【発明を実施するための形態】
【００１５】
本発明に係る電子式電力量計の実施形態を以下に詳述する。なお、以下の実施形態では、交流単相２線式の電力量計を例示するが、交流単相３線式の電力量計についても適用可能である。
【００１６】
図１に示す実施形態の電子式電力量計は、各種電子部品を実装した計測回路１１を収容した樹脂製の筐体１２を備え、その筐体１２の前面に表示部１３が配設されていると共に、筐体１２の下部に端子部１４が設けられている。この計測回路１１は、電源から配電線を介して負荷に供給された電力量を計測する。なお、この筐体１２は、計測回路１１および端子部１４などが設けられたベース部１２ａとそのベース部１２ａの前面に着脱自在に取り付けられた保護カバー１２ｂとで構成されている。
【００１７】
この電子式電力量計の端子部１４は、電力供給設備からの配電線（図示せず）がネジ止めにより接続される電源側端子部１５Ｓ，１６Ｓと、電力需要家内の負荷への配電線（図示せず）がネジ止めにより接続される負荷側端子部１５Ｌ，１６Ｌとが並設された構造を具備する。
【００１８】
端子部１４は、筐体１２のベース部１２ａの下部に設けられ、電源側端子部１５Ｓ，１６Ｓと負荷側端子部１５Ｌ，１６Ｌとの間に、計測回路１１が二つの接続線１７，１８により電気的に接続されている。電源側端子部１５Ｓと負荷側端子部１５Ｌとを繋ぐ接続線１７、および電源側端子部１６Ｓと負荷側端子部１６Ｌとを繋ぐ接続線１８は、電源側端子部１５Ｓ，１６Ｓから負荷側端子部１５Ｌ，１６Ｌへ至る通電路として、端子部１４と計測回路１１との間で配線基板（図示せず）上に形成されている。なお、図１中の接続線１７，１８は模式的に表されている。
【００１９】
このような電子式電力量計が設置された一般家庭などの電力需要家では、各種の家電機器や情報機器が使用されており、これら家電機器や情報機器の多様化に伴い、落雷などによる過大な雷サージが家電機器や情報機器の電源線から侵入して、その雷サージでもって家電機器や情報機器が破壊されることを未然に防止する必要がある。
【００２０】
そこで、電力需要家に設置された電子式電力量計に雷サージ対策を施すため、電源側端子部１５から侵入する雷サージを吸収する交換可能なサージ防護素子１９、例えばバリスタやサージアブソーバなどを接続線１７，１８に設けている。つまり、電源側端子部１５Ｓと負荷側端子部１５Ｌとを繋ぐ一方の接続線１７と、電源側端子部１６Ｓと負荷側端子部１６Ｌと繋ぐ他方の接続線１８との間、すなわち、線間の電源側にサージ防護素子１９を端子部近傍部位で接続する。
【００２１】
このように端子部１４の電源側端子部１５Ｓ，１６Ｓから侵入する雷サージを吸収するサージ防護素子１９を設けたことにより、電源側端子部１５Ｓ，１６Ｓから侵入する雷サージをサージ防護素子１９で阻止することができるので、そのサージが計測回路１１に達することを回避でき、電子式電力量計をサージから保護することができる。
【００２２】
また、図２に示すように、このサージ防護素子１９は交換可能であることから、直撃雷などの過大なサージにより素子破壊が発生しても速やかに新たなサージ防護素子１９に取り替えることができる。なお、このサージ防護素子１９を交換可能にする構造としては、配線基板に設けたコネクタ構造などが可能である。
【００２３】
また、端子部１４の電源側端子部１５Ｓと負荷側端子部１５Ｌとを繋ぐ接続線１７と、端子部１４の電源側端子部１６Ｓと負荷側端子部１６Ｌと繋ぐ接続線１８との間、つまり、線間の電源側にサージ防護素子１９を端子部近傍部位で接続したことにより、サージ防護素子１９を筐体１２に内蔵させることが容易に実現できる。
【００２４】
なお、線間の電源側にサージ防護素子１９を端子部近傍部位で接続する以外に、線間の電源側にバリスタやサージアブソーバ等の交換可能なサージ防護素子２０を端子部離隔部位でさらに接続することも可能である。この場合、つまり、電源側端子部１５Ｓと負荷側端子部１５Ｌとを繋ぐ接続線１７と、電源側端子部１６Ｓと負荷側端子部１６Ｌと繋ぐ接続線１８との間、すなわち、線間の電源側にサージ防護素子２０を端子部離隔部位で接続する場合、線間の電源側で端子部近傍部位に設けたサージ防護素子１９は、線間の電源側で端子部離隔部位に設けたサージ防護素子２０よりも低い制限電圧に設定することによりさらに内部を保護することが可能である。
【００２５】
このように、線間の電源側で端子部近傍部位に設けたサージ防護素子１９を、線間の電源側で端子部離隔部位に設けたサージ防護素子２０よりも低い制限電圧に設定することにより、サージ防護素子２０によるサージ吸収よりも低い電圧でサージ防護素子１９で雷サージを吸収することができるため、電源側端子部１５Ｓ，１６Ｓから侵入する雷サージから計測回路１１を防護することができる。
【００２６】
なお、以上の実施形態では、サージ防護素子１９を筐体１２の端子部近傍部位に設けた場合や、サージ防護素子２０を筐体１２の端子部離隔部位に設けた場合について説明したが、本発明はこれに限定されることなく、例えば、図３に示すように、サージ防護素子２１を端子部１４の電源側端子部１５Ｓと電源側端子１６Ｓとの間に接続することも可能である。これにより、電源側端子部１５Ｓ，１６Ｓから侵入する雷サージから計測回路１１を確実に防護することができる。
【００２７】
本発明は前述した実施形態に何ら限定されるものではなく、本発明の要旨を逸脱しない範囲内において、さらに種々なる形態で実施し得ることは勿論のことであり、本発明の範囲は、特許請求の範囲によって示され、さらに特許請求の範囲に記載の均等の意味、および範囲内のすべての変更を含む。
【符号の説明】
【００２８】
１２  筐体
１４  端子部
１５Ｓ，１６Ｓ  電源側端子部
１５Ｌ，１６Ｌ  負荷側端子部
１７，１８  接続線
１９〜２１  サージ防護素子
【図１】
2012073211.tif 000003
【図２】
2012073211.tif 000004
【図３】
2012073211.tif 000005
【図４】
2012073211.tif 000006